(57)【要約】【課題】保存する原稿の数が増大するときでも、保存する原稿の保存履歴を整理することができ、特定種類の文書毎の画像を容易に検索し、出力することができるようにする。【解決手段】本発明の画像処理装置は、１又は複数種類の文書の画像データを取得し、各画像データに出現する単語から文書の種類を連想させる語を抽出し、取得された画像データを抽出された語毎に分類して記憶する画像記憶部を備え、画像記憶部において分類される抽出された語が対応付けられた各画像データのリンク先を示すリンク先特定情報を作成するリンク先特定情報作成部と、少なくとも、抽出された各語が対応付けられた各画像データのリンク先特定情報を有する原稿分類情報を作成する原稿分類情報作成部と、原稿分類情報を出力する出力部とを備える。【選択図】      図１
2013258607.tif 000002
【特許請求の範囲】
【請求項１】
１又は複数種類の文書の画像データを取得する画像取得部と、
前記画像取得部により取得された前記各画像データに出現する単語を認識する単語認識部と、
前記単語認識部による認識結果に基づいて、前記各画像データの文書の種類を連想させる語を抽出する語抽出部と、
前記画像取得部により取得された前記画像データを、前記語抽出部により抽出された語毎に分類して記憶する画像記憶部と、
前記画像記憶部において分類される前記抽出された語が対応付けられた前記各画像データのリンク先を示すリンク先特定情報を作成するリンク先特定情報作成部と、
少なくとも、前記リンク先特定情報作成部により作成された、前記抽出された各語が対応付けられた前記各画像データのリンク先特定情報を有する原稿分類情報を作成する原稿分類情報作成部と、
前記原稿分類情報作成部により作成された前記原稿分類情報を出力する出力部と
を備えることを特徴とする画像処理装置。
【請求項２】
前記画像取得部が前記原稿分類情報を取得するものであり、
前記画像取得部により取得された前記原稿分類情報に含まれる前記各リンク先特定情報を解析して、前記抽出された各語が対応付けられた前記各画像データのリンク先を求めるリンク先特定情報解析部と、
前記リンク先特定情報解析部の解析結果に基づいて、前記画像取得部により取得された前記原稿分類情報で分類された各語の一覧を作成して表示する一覧表示作成部と
を備え、
前記出力部が、前記一覧表示作成部により表示される前記一覧に含まれる語の中から選択された語を取得し、前記リンク先特定情報解析部で解析されたリンク先に基づいて、選択された語に対応する画像データを前記画像記憶部から読み出して出力するものである
ことを特徴とする請求項１に記載の画像処理装置。
【請求項３】
前記画像取得部により取得された前記画像データのうち公開を制限する画像データに認証情報を付与する認証情報付与部と、
出力実行時に取得した認証情報と、前記データに付与された認証情報とが一致するか否かを判断して、一致しない場合に前記画像データの公開を制限する画像隠蔽部と
を備えることを特徴とする請求項２に記載の画像処理装置。
【請求項４】
前記原稿分類作成部が、前記画像取得部により取得された前記文書の画像データについて前記語抽出部が抽出した各語と、前記リンク先特定情報作成部により作成された前記リンク先特定情報とを対応付けて、前記原稿分類情報を作成するものであることを特徴とする請求項１〜３のいずれに記載の画像処理装置。
【請求項５】
前記出力部が、前記一覧から選択された語に対応する画像データに基づいて印刷出力するものであることを特徴とする請求項１〜４のいずれかに記載の画像処理装置。
【請求項６】
前記出力部が、前記一覧から選択された語に対応する画像データを外部記憶部に保存するものであることを特徴とする請求項１〜４のいずれかに記載の画像処理装置。
【請求項７】
前記出力部が、前記一覧から選択された語に対応する画像データを外部機器に送信するものであることを特徴とする請求項１〜４のいずれかに記載の画像処理装置。
【請求項８】
前記出力部が、前記一覧から選択された語に対応する画像データを表示部に表示するものであることを特徴とする請求項１〜４のいずれかに記載の画像処理装置。
【発明の詳細な説明】
【技術分野】
【０００１】
本発明は、画像処理装置に関し、例えば、複数種類の原稿の画像データを取得し、画像データを種類毎に分類する画像処理装置に適用し得るものである。
【背景技術】
【０００２】
特許文献１の記載技術は、複数の種類の原稿が混在している原稿束を読み取り、自動的に、原稿の種類毎の画像データに仕分ける画像処理装置である。特許文献１の記載技術は、原稿を１ページずつ読み取り、ページ単位の画像データを取得する。そして、画像データの属性を検出し、その画像データと属性とを対応付けて、各ページ単位の画像データを属性に基づいて種類毎に仕分け、ページ順に並べ替え、種類毎に連結し、種類毎に仕分けた原稿のサムネイル画像を表示したり又はユーザによって指定された原稿を印刷出力したりというものである。
【先行技術文献】
【特許文献】
【０００３】
【特許文献１】特開２００９−３０２９４４号公報
【発明の概要】
【発明が解決しようとする課題】
【０００４】
しかしながら、従来の画像処理装置は、保存する原稿の数が増大すると、ユーザは、画像データの格納場所を特定することができず、特定の画像データを検索することが容易でなくなるため、特定の画像データを取り出すのに時間がかかってしまう場合が生じ得る。
【０００５】
例えば、従来の画像処理装置は、特定の種類の文書（例えば見積書等）の画像データを読み出すには、その特定の種類の画像を１件ずつ検索して読み出し出力する必要がある。そのため、例えば見積書等の特定の種類の画像をまとめて検索することができず、時間を要している。
【０００６】
さらに、従来の画像処理装置は、原稿の画像データを種別毎に保存するとき、画像データの保存履歴が分からなくなってしまうことがある。
【０００７】
そのため、文書の種類毎に画像データを保存するものであって、保存する原稿の数が増大するときでも、保存する原稿の保存履歴を整理することができ、特定種類の文書毎の画像を容易に検索し、出力することができる画像処理装置が求められている。
【課題を解決するための手段】
【０００８】
かかる課題を解決するために、本発明は、（１）１又は複数種類の文書の画像データを取得する画像取得部と、（２）画像取得部により取得された各画像データに出現する単語を認識する単語認識部と、（３）単語認識部による認識結果に基づいて、各画像データの文書の種類を連想させる語を抽出する語抽出部と、（４）画像取得部により取得された画像データを、語抽出部により抽出された語毎に分類して記憶する画像記憶部と、（５）画像記憶部において分類される抽出された語が対応付けられた各画像データのリンク先を示すリンク先特定情報を作成するリンク先特定情報作成部と、（６）少なくとも、リンク先特定情報作成部により作成された、抽出された各語が対応付けられた各画像データのリンク先特定情報を有する原稿分類情報を作成する原稿分類情報作成部と、（７）原稿分類情報作成部により作成された原稿分類情報を出力する出力部とを備えることを特徴とする画像処理装置である。
【発明の効果】
【０００９】
本発明によれば、文書の種類毎に画像データを保存し、保存する原稿の保存履歴を整理することができ、特定種類の文書毎の画像を容易に検索し、出力することができる。
【図面の簡単な説明】
【００１０】
【図１】第１の実施形態の画像処理装置の内部構成を示す内部構成図である。
【図２】第１の実施形態のオペレーションパネルの外観構成を示す外観構成図である。
【図３】第１の実施形態の画像管理部が画像データにおける単語認識及び語の抽出を行なう処理を説明する説明図である。
【図４】第１の実施形態の画像管理部が画像データにおける単語認識及び語の抽出を行なう処理を説明する説明図である。
【図５】第１の実施形態の原稿分類情報の一例を説明する説明図である。
【図６】第１の実施形態のオペレーションパネルの表示部に表示される一覧のイメージ図である。
【図７】第１の実施形態の画像処理装置が、原稿束を読み取り、原稿分類情報を作成するまでの動作の流れを示すフローチャートである。
【図８】第１の実施形態の画像処理装置における語の抽出及び原稿分類の処理を説明するシーケンス図である。
【図９】第１の実施形態の画像処理装置における電子ファイル作成処理を示すシーケンス図である。
【図１０】第１の実施形態の画像処理装置における原稿分類情報の作成処理を示すシーケンス図である。
【図１１】第１の実施形態の画像処理装置が、原稿分類情報を読み取り、必要な画像データを出力するまでの動作の流れを示すフローチャートである。
【図１２】第１の実施形態の画像処理装置における原稿分類情報の読み取り処理を示すシーケンス図である。
【図１３】第１の実施形態の画像処理装置における電子ファイルの取得処理を示すシーケンス図である。
【図１４】第２の実施形態の画像処理装置の内部構成を示す内部構成図である。
【図１５】第２の実施形態の画像処理装置における原稿束を読み取り、原稿分類情報を作成するまでの動作の流れを示すフローチャートである。
【図１６】第２の実施形態の画像処理装置における画像データの認証情報付与の処理を示すシーケンス図である。
【図１７】第２の実施形態の画像処理装置による画像データの原稿種類毎への分類を説明する説明図である。
【図１８】第２の実施形態の画像処理装置の画像データの隠蔽化処理の動作を示すフローチャートである。
【図１９】第２の実施形態の画像処理装置における画像データの隠蔽化処理を示すシーケンス図である。
【図２０】第２の実施形態の画像処理装置による隠蔽する画像データ以外の画像データを表示する処理を説明する説明図である。
【発明を実施するための形態】
【００１１】
（Ａ）第１の実施形態
以下では、本発明の画像処理装置の第１の実施形態を、図面を参照しながら詳細に説明する。
【００１２】
（Ａ−１）第１の実施形態の構成
図１は、第１の実施形態の画像処理装置１００の内部構成を示す内部構成図である。
【００１３】
図１において、第１の実施形態の画像処理装置１００は、オペレーションパネル１０１、読取部１０２、画像管理部１０３、電子ファイル作成部１０７、記憶部１０８、原稿分類情報作成部１０９、印刷部１１０、ジョブ管理部１１１、送受信部１１２、一覧表示作成部１１３、ＲＯＭ１１４を有する。
【００１４】
オペレーションパネル１０１は、ユーザが操作する操作パネルである。図２は、オペレーションパネル１０１の外観構成を示す外観構成図である。
【００１５】
図２において、オペレーションパネル１０１は、画像処理装置１００の各種設定の選択や決定等を行なうキー１０１−１〜１０１−５、画像処理装置１００への動作開始指示を行なうスタートキー１０１−６、動作をキャンセルするキャンセルキー１０１−７、画像処理装置１００の機器設定を行なう機器設定キー１０１−８、コピー、スキャン、ファクス、プリントの各機能を実行する際のＡＰ切替キー１０１−９、１０１−１０、１０１−１１、１０１−１２、装置の機器設定画面・エラーや処理の状況等を表示する表示部１０１−１３を有する。
【００１６】
読取部１０２は、画像取得部の一例であり、この実施形態では、読取部１０２が原稿の画像を読み取る原稿画像読取部である場合を説明する。
【００１７】
読取部１０２は、後述するジョブ管理部１１１から原稿読取開始指示を受けると、原稿の読み取りを開始するものである。読取部１０２は、原稿から読み取った画像データをライン毎に記憶するよう画像管理部１０３に指示し、１ページの原稿の画像データの読み取りが完了すると、次ページの原稿があるか否かを確認し、次原稿有無情報をジョブ管理部１１１に通知する。なお、次原稿がある場合には、読取部１０２は次原稿の読取を続行し、原稿読取が完了すると、読取部１０２はジョブ管理部１１１に原稿読取完了を通知する。
【００１８】
さらに、読取部１０２は、後述する原稿分類情報を読み取る際に、原稿分類情報に付加されているリンク先特定情報を取得するリンク先特定情報取得部１１６を有する。
【００１９】
原稿分類情報は、後述する原稿分類情報作成部１０９が作成するものであり、原稿の種類毎に分別して画像データを記憶した後、その記憶結果として、分類した原稿の種類と、その原稿種類の画像データのリンク先を示すリンク先特定情報とを併記したものである。
【００２０】
また、リンク先特定情報とは、画像記憶部１０４に記憶される原稿の画像データの格納場所であるリンク先を示す情報である。リンク先特定情報は、例えば、所定の符号化ルールに従って、リンク先をコード化したコード（例えば、１次元コード、２次元コード等）や、リンク先を示す文字列（文字列は、例えば、文字、数字、記号等を含むものである）等を適用することができる。なお、この実施形態では、リンク先特定情報が、リンク先を符号化したコードである場合を説明する。
【００２１】
つまり、読取部１０２が、例えば紙媒体に印字された原稿分類情報を読み取る場合、リンク先特定情報取得部１１６は、原稿分類情報に付与されたリンク先特定情報（この場合、コード）を取得して、取得したリンク先特定情報を原稿分類情報作成部１０９に与えて解読依頼を行なう。これにより、先だって保存した原稿の画像データのリンク先を、原稿分類情報作成部１０９に解析させることができる。また、読取部１０２は、原稿分類情報作成部１０９からコード解読完了通知を受けると、ジョブ管理部１１１に対してリンク先特定情報の読取完了を通知する。
【００２２】
画像管理部１０３は、読取部１０２により読み取られた画像データを管理するものである。画像管理部１０３は、機能構成として、一時記憶メモリである画像記憶部１０４、単語認識部１０５、語抽出部１０６を有する。
【００２３】
画像管理部１０３は、読取部１０２からの指示に従って、読取部１０２により読み取られたライン単位の画像データをライン毎に画像記憶部１０４に記憶したり、また画像記憶部１０４の画像データを削除したりするものである。
【００２４】
また、画像管理部１０３は、ジョブ管理部１１１から分類開始指示を受けると、１ページ分の画像データにおける単語認識処理の開始を、単語認識部１０５に対して指示する。単語認識部１０５から認識した単語の情報及び単語認識完了通知を受けると、画像管理部１０３は、単語の情報と合わせて語抽出依頼を、語抽出部１０６に対して行なう。
【００２５】
そして、語抽出部１０６により単語の情報から所定の語が抽出されると、画像管理部１０３は、その抽出された語と合わせて語抽出完了通知を受け、その抽出された語を当該１ページの画像データに対する抽出した語（例えば当該画像データの題名に相当する語）と決定する。
【００２６】
画像管理部１０３は、抽出した語から画像データを参照できるようにするため、抽出した語と画像データとを関連付けるようにする。また、画像管理部１０３は、複数枚のページの画像データに対して語の抽出が行なわれた場合、抽出した語毎に画像データを振り分け、抽出した語毎の画像データを連結する。そして、抽出した語毎に画像データの分類が終了すると、画像管理部１０３はジョブ管理部１１１に分類完了を通知する。
【００２７】
図３及び図４は、画像管理部１０３が画像データにおける単語認識及び語の抽出を行なう処理を説明する説明図である。
【００２８】
図３の例は、読取部１０２が原稿として見積書を読み取る場合を示す。読取部１０２が原稿（見積書）３１を読み取った後、単語認識部１０５は、画像記憶部１０４に記憶されている１ページの画像データを参照し、その画像データに対して単語の認識を行なう。
【００２９】
例えば、単語認識部１０５は、１ページの原稿３１の画像データに対して形態素解析を行なう。なお、形態素解析の方法は、既存技術を広く適用することができ、例えば、隠れマルコフモデル（ＨＭＭ：Hidden  Markov  Model）や、単語辞書や規則テーブルを用いた方法等を適用することができる。単語認識部１０５が、「見積書」の原稿３１の画像データに対して形態素解析を行ない、その結果、原稿３１において認識することができた単語の情報が求められる。
【００３０】
次に、語抽出部１０６は、単語認識部１０５による単語の情報を参照して、認識された単語から１個の語を抽出する。すなわち、語抽出部１０６は、１ページの原稿の文書要約を行ない、特徴的な語を抽出する。語抽出部１０６による語の連想に関しては、どの文書にはどの単語が多く出現するというような頻度が付いた索引データを用いて、単語と単語との間の類似度を内積型の高速計算ツールを用いることができる。この高速計算ツールを語抽出部１０６として適用することにより、単語認識部１０５により出現単語の出現数に基づいて、連想される語を抽出することができる。
【００３１】
例えば、図３において、「見積書」である原稿３１において認識された単語として「見積」という単語が８個認識され、「金額」という単語が２個認識したことを示している。そして、語抽出部１０６は、単語認識部１０５によって認識した単語から１個の語を連想して抽出する。ここでは、「見積書」が抽出されている。
【００３２】
図３では、原稿１枚についてだが、図４では、原稿２０枚についての例を表している。原稿が複数枚の場合（図４（Ａ）参照）も１枚の場合と同様に、単語認識部１０５が単語の認識をページ毎に行ない及び認識個数を単語毎に求める。そして、語抽出部１０６が、それぞれの原稿に対して特徴的な語の抽出を行なう（図４（Ｂ）参照）。なお、図４（Ｂ）では、抽出した語が複数ある場合には、「見積書」が複数ある場合、読み込んだ順で「見積書−１」、「見積書−２」、…等と番号を付して画像データに対応付けている。こうすることで、図４（Ｃ）に示すように、例えば「見積書」、「決裁書」等のように抽出した語毎に画像データを分類することができ、各語毎の画像データを連結させることができる。
【００３３】
例えば、図４（Ａ）のように、見積書８枚と決裁書９枚と契約書３枚をばらばらに束ねた原稿束を読取部１０２に読み取らせる。読取部１０２は、１枚ずつ原稿を読み取り、単語認識部１０５及び語抽出部１０６が、原稿１枚毎に、単語認識及び語抽出を行なう。全ての原稿について処理が終了すると、「見積書」と「決裁書」と「契約書」の３個の語が抽出され、画像管理部１０３は、画像連結処理によって複数の画像データを各語毎に連結して分類する。
【００３４】
電子ファイル作成部１０７は、ジョブ管理部１１１から電子ファイル作成依頼を受けると、電子ファイル作成ための準備として、画像管理部１０３から抽出した語と各語に対する画像データのリンク先とを取得する。そして、電子ファイル作成部１０７は、取得したリンク先を用いて、画像記憶部１０４から各語に対する画像データを取得し、取得した画像データに基づいて電子ファイル（例えばＰＤＦファイル）を作成して後述する記憶部１０８に記憶する。また、電子ファイル化が完了すると、電子ファイル作成部１０７は、ジョブ管理部１１１に対して、電子ファイル作成完了を通知する。
【００３５】
記憶部１０８は、電子ファイルを記憶するものである。例えば、記憶部１０８は、ＨＤＤやＵＳＢメモリやＳＤカード等の記憶媒体を適用することができる。
【００３６】
原稿分類情報作成部１０９は、読み込んだ原稿種類の分類を示す原稿分類情報を作成するものである。原稿分類情報作成部１０９は、ジョブ管理部１１１から原稿分類情報作成の依頼を受けると、原稿分類情報の作成のために、画像管理部１０３から抽出した語と、各語に対する画像データのリンク先とを取得し、抽出した語と各語に対する画像データのリンク先とに基づいて、原稿分類情報を作成する。
【００３７】
原稿分類情報作成部１０９は、原稿分類情報を作成し、原稿分類情報を紙媒体に印刷出力する際、印刷部１１０に対して、原稿分類情報を与えて、原稿分類情報を紙媒体に印刷させる。
【００３８】
なお、ここでは原稿分類情報を紙媒体に印刷出力する場合を例示するが、原稿分類情報を、ネットワークを通じてテキスト形式で所定の送信先に電子メールで送信するようにしてもよいし、又は電話回線を通じて原稿分類情報を所定の宛先にファックス送信するようにしてもよい。
【００３９】
また、原稿分類情報作成部１０９は、原稿分類情報を作成する際に、画像管理部１０３から取得した、各語に対する画像データのリンク先に基づいて、リンク先特定情報を作成するリンク先特定情報作成部１１７を有する。
【００４０】
図５は、原稿分類情報の一例を説明する説明図である。図５の例は、図４に例示する２０枚の原稿束を読み取らせた場合に、原稿分類情報作成部１０９が作成した原稿分類情報を紙媒体に印刷出力したものである。
【００４１】
図５に示すように、原稿分類情報５１には、画像管理部１０３から抽出した語５２として「見積書」、「決裁書」、「契約書」が記載され、更に、各語に対応する画像データのリンク先特定情報５３が付与される。ここで、リンク先特定情報５３が２次元コードである場合を例示する。このとき、原稿分類情報作成部１０９は、図５に示すように、語に対応する画像データのリンク先特定情報であることが分かるように、抽出した語の横又は近辺に、リンク先特定情報５３を付与する。また、図５に示すように、原稿分類情報５１には、原稿の画像データを保存した日時情報や保存番号や保存した画像処理装置の番号等も付与される。これにより、ユーザはどの画像処理装置にいつ保存したものであるかが分かる。
【００４２】
また、原稿分類情報作成部１０９は、読取部１０２からリンク先特定情報解読依頼を受けると、リンク先特定情報を解析して、画像データのリンク先を求めるリンク先特定情報解析部１１８を有する。
【００４３】
そして、原稿分類情報作成部１０９は、リンク先特定情報解析部１１８により解析されたリンク先にアクセスして、リンク先に対応する語を特定する。そして、原稿分類情報作成部１０９は、特定した語を一覧表示作成部１１３に与えると共に、リンク解読完了を読取部１０２に通知する。
【００４４】
さらに、原稿分類情報作成部１０９は、ジョブ管理部１１１から、一覧表示作成部１１３によって作成された一覧の中で選択された語に対応する電子ファイルの取得依頼を受けると、選択された語の画像データのリンク先を、ジョブ管理部１１１に与えるものである。
【００４５】
印刷部１１０は、原稿分類情報作成部１０９から与えられた原稿分類情報と、ジョブ管理部１１１から与えられた電子ファイルの格納場所とに基づいて、記憶部１０８に記憶されている電子ファイルを取得し、電子ファイルを印刷データに変換し、印刷データに基づいて印刷出力するものである。
【００４６】
ジョブ管理部１１１は、画像処理装置１００における各種機能のジョブを管理するものである。ジョブ管理部１１１は、オペレーションパネル１０１のスタートキー１０６−１が押下されると、原稿読取の開始を読取部１０２に指示する。また、ジョブ管理部１１１は、読取部１０２から次原稿有無の情報の通知を受けたり、読取完了の通知を受けたり、又は、原稿分類情報の原稿読取の情報を受けたりする。
【００４７】
ジョブ管理部１１１は、画像管理部１０３に分類開始を指示し、その分類の完了通知を受ける。
【００４８】
また、ジョブ管理部１１１は、電子ファイル作成部１０７に電子ファイルの作成を指示し、その電子ファイル作成の完了通知を受ける。さらに、ジョブ管理部１１１は、原稿分類情報作成部１０９に原稿分類情報の作成を依頼し、その原稿分類情報の作成完了通知を受ける。
【００４９】
ここで、ジョブ管理部１１１は、原稿分類情報の原稿読取の完了通知により、原稿分類情報を読み取った旨を受けた場合、原稿分類情報の画像データの保存を回避するため、原稿分類情報の画像データの削除を画像管理部１０３に指示する。
【００５０】
また、ジョブ管理部１１１は、原稿分類情報作成部１０９から原稿分類情報に付与されているリンク先特定情報が示すリンク先に対応する語を受けると、語の一覧作成を、一覧表示作成部１１３に対して指示する。
【００５１】
さらに、ジョブ管理部１１１は、オペレーションパネル１０１を通じて、一覧からの選択が完了すると、選択された語の情報を原稿分類情報作成部１０９に与えて、その語に対応する電子ファイルの格納先を取得する。そして、ジョブ管理部１１１は、取得した電子ファイルの格納先を、印刷部１１０に与えて印刷完了通知を受けたらそのジョブを完了する。
【００５２】
なお、ジョブ管理部１１１は電子ファイルを電子メール又はファックス送信することもできる。電子メール又はファックス送信する場合、ジョブ管理部１１１は、オペレーションパネル１０１を通じて送信先情報を受け取り、電子メール又はファックス送信指示を受けると、送受信部１１２に対して電子メール又はファックス送信を指示する。そして、ジョブ管理部１１１は、送信完了通知を受けると当該ジョブを完了する。
【００５３】
送受信部１１２は、ファクス通信プロトコルやＴＣＰ／ＩＰプロトコルに則って外部機器と情報やデータの送受信を行なう機能を有する。送受信部１１２は、ジョブ管理部１１１から電子ファイルの格納先を与えられた場合は、その格納先から電子ファイルを添付した電子メール又はファックスデータを、外部機器に送信することができる。
【００５４】
一覧表示作成部１１３は、ジョブ管理部１１１から、オペレーションパネル１０１の表示部１０１−１３に表示する一覧作成の指示を受けると、一覧を作成してジョブ管理部１１１に与えるものである。
【００５５】
図６は、オペレーションパネル１０１の表示部１０１−１３に表示される一覧のイメージ図である。図６に示すように、原稿分類情報に記載されている１又は複数の語の一覧６１を表示する。表示される一覧６１は、いずれの語を選択できるように、各語に対してチェックボックス等を設けている。一覧６１から選択できる語は、１個であってもよいし、複数個であってもよい。例えば、図６の例の場合、ユーザは、「見積書」と「契約書」の２個を選択し、「見積書」と「契約書」の画像データを取得することができる。
【００５６】
ＲＯＭ１１４は、画像処理装置１００の制御プログラムが予め格納されている。
【００５７】
ＣＰＵ１１５は、ＲＯＭ１１４に格納されている制御プログラムを実行することによって画像処理装置１００全体を制御するマイクロプロセッサである。
【００５８】
共通バス１１９は、画像処理装置１００における上記各部分を接続する信号線である。
【００５９】
（Ａ−２）第１の実施形態の動作
次に、第１の実施形態の画像処理装置１００における処理の動作について図面を参照しながら詳細に説明する。
【００６０】
図７は、第１の実施形態の画像処理装置１００が、原稿束を読み取り、原稿分類情報を作成するまでの動作の流れを示すフローチャートである。
【００６１】
図８は、図７のＦ１０１からＦ１０５までの、画像処理装置１００における処理を示すシーケンス図である。
【００６２】
ここでは、例えば、見積書、決裁書、契約書がばらばらに含まれている状態の原稿束を画像処理装置１００で読み取らせる場合を例示する。
【００６３】
Ｆ１０１：オペレータは、画像処理装置１００の原稿台に原稿をセットして、オペレーションパネル１０１のスタートキー１０１−６を押下する（Ｓ１０１）。これにより、ジョブ管理部１１１が起動し、ジョブ管理部１１１が読取部１０２に対して読取開始を指示する（Ｓ１０２）。
【００６４】
読取開始の指示を受けた読取部１０２は、原稿を読み取り、読み取った画像データを画像管理部１０３に記憶させるよう指示する（Ｓ１０３）。画像管理部１０３は、読取部１０２からの指示を受けると、読取部１０２が読み取った画像データをライン毎に画像記憶部１０４に記憶させる（Ｓ１０４）。
【００６５】
そして、原稿の読み取りが完了後、読取部１０２はジョブ管理部１１１へ読取完了を通知する（Ｓ１０５）。
【００６６】
Ｆ１０２：ジョブ管理部１１１は、画像記憶部１０４に記憶されている画像データの分類開始を画像管理部１０３に指示する（Ｓ１０６）。画像管理部１０３は、画像データの分類開始の指示を受けると、単語認識部１０５に１ページの画像データにおける単語の認識を開始させる（Ｓ１０７）。そうすると、単語認識部１０５は、画像記憶部１０４に記憶されている画像データを参照して（Ｓ１０８）、所定のアルゴリズムで単語の認識処理を行ない（Ｓ１０９）、認識した単語と認識した単語の個数とを画像管理部１０３へ通知する（Ｓ１１０）。
【００６７】
Ｆ１０３：画像管理部１０３は、単語認識部１０５により認識された単語と認識された単語の個数とを語抽出部１０６に与え、語抽出部１０６に語の抽出を依頼する（Ｓ１１１）。語抽出部１０６は、画像管理部１０３から語の抽出の依頼を受けると、認識された単語と認識された単語の個数とに基づいて、所定のアルゴリズムで語を連想し、１個の語を抽出して（Ｓ１１２）、抽出した語を画像管理部１０３へ通知する（Ｓ１１３）。
【００６８】
Ｆ１０４：画像管理部１０３は、抽出した語と画像記憶部１０４に記憶されている画像データとを関連付けて、その抽出した語と画像データとの関連付けた情報を保持する（Ｓ１１４）。２ページ目以降からは、抽出した語が既存の語と同じ場合は、抽出した語に対応する画像データを既存の語に対応する画像データと連結させ、分類が完了したことをジョブ管理部１１１へ通知する（Ｓ１１５）。
【００６９】
Ｆ１０５：次原稿がある場合は、Ｆ１０１の読取部１０２による原稿読取開始へ移行する。次原稿が無い場合は、Ｆ１０６へ進む。
【００７０】
図９は、図７のＦ１０６の電子ファイル作成処理を示すシーケンス図である。
【００７１】
Ｆ１０６：ジョブ管理部１１１は、抽出した語毎に対応している画像データに基づいて、電子ファイル（例えば、ＰＤＦファイル等）を作成するように、電子ファイル作成部１０７に依頼する（Ｓ１２１）。
【００７２】
電子ファイル作成部１０７は、電子ファイル作成の依頼を受けると、画像管理部１０３から抽出した語とその画像データのリンク先を取得する（Ｓ１２２、Ｓ１２３）。そして、電子ファイル作成部１０７は、画像記憶部１０４から、抽出した語毎の画像データを取得し（Ｓ１２４、Ｓ１２５）、抽出した語毎に、画像データを電子ファイルにして（Ｓ１２６）、電子ファイルを記憶部１０８に保存する（Ｓ１２７）。
【００７３】
電子ファイル作成部１０７は、全ての画像データを電子ファイルにして記憶部１０８に保存したら、ジョブ管理部１１１に電子ファイル作成の完了を通知する（Ｓ１２８）。
【００７４】
図１０は、図７のＦ１０７の原稿分類情報の作成処理を示すシーケンス図である。ここでは、リンク先特定情報が２次元コードの場合を説明する。
【００７５】
Ｆ１０７：ジョブ管理部１１１は、原稿分類情報の作成を原稿分類情報作成部１０９に依頼する（Ｓ１３１）。
【００７６】
原稿分類情報作成部１０９は、原稿分類情報の作成依頼を受けると、抽出した語と抽出した語に対する画像データのリンク先とを、画像管理部１０３から取得し（Ｓ１３２、Ｓ１３３）、画像データのリンク先をコード化してリンク先特定情報を作成し（Ｓ１３４）、各リンク先特定情報を付与した原稿分類情報を作成する（Ｓ１３５）。このとき、原稿分類情報作成部１０９は、図５に示すように、抽出した語の横に、対応するリンク先特定情報を配置する。
【００７７】
原稿分類情報作成後、原稿分類情報作成部１０９は、原稿分類情報を印刷部１１０に与えて、印刷部１１０が印刷データに変換して印刷する（Ｓ１３６）。そして、原稿分類情報作成部１０９は、ジョブ管理部１１１に原稿分類情報作成の完了を通知する（Ｓ１３７）。
【００７８】
図１１は、第１の実施形態の画像処理装置１００が、原稿分類情報を読み取り、必要な画像データを出力するまでの動作の流れを示すフローチャートである。
【００７９】
図１２は、Ｆ１０８からＦ１１４までの、画像処理装置１００における処理を示すシーケンス図である。
【００８０】
Ｆ１０８：オペレータは、画像処理装置１００の原稿台に原稿分類情報がある原稿をセットして、オペレーションパネル１０１のキー１０１−６を押下する（Ｓ１４１）。そうすると、ジョブ管理部１１１が起動し、ジョブ管理部１１１は読取部１０２に対して読取開始を指示する（Ｓ１４２）。
【００８１】
読取開始の指示を受けた読取部１０２は、原稿を読み取りながら画像管理部１０３に読み取った画像を記憶させるよう指示する（Ｓ１４３）。画像管理部１０３は、その指示を受けると読取部１０２が読み取った画像をライン毎に画像記憶部１０４に記憶させる（Ｓ１４４）。
【００８２】
Ｆ１０９：読取部１０２は、原稿分類情報を読み取り中に原稿分類情報作成部１０９がコード化したリンク先特定情報を認識すると（Ｓ１４５）、Ｆ１１０へ進む。コードを認識しなかった場合は、通常のジョブの制御を行うので、ここでは説明を割愛する。なお、２ページ目以降でコードを認識しなかった場合は、Ｆ１１０とＦ１１１をスルーしてＦ１１２へ進む。
【００８３】
Ｆ１１０：読取部１０２は、原稿分類情報作成部１０９にコードの解読を依頼する（Ｓ１４６）。原稿分類情報作成部１０９は、コードの解読の依頼を受けると、自身がコード化したリンク先特定情報を解読し（Ｓ１４７）、画像データのリンク先を保持しておく。原稿分類情報作成部１０９は、一覧表示に係る語を一覧表示作成部１１３に与える（Ｓ１４８）。
【００８４】
また、原稿分類情報作成部１０９は、コード解読完了を読取部１０２に通知し（Ｓ１４９）、読取部１０２は、ジョブ管理部１１１に原稿読取完了を通知する（Ｓ１５０）。
【００８５】
Ｆ１１１：１ページの画像データの中で、読取部１０２がさらにコード（リンク先特定情報）を認識すると、Ｆ１１０へ移行する。認識できるコードがなければ、Ｆ１１２へ進む。
【００８６】
Ｆ１１２：次の原稿分類情報があれば、Ｆ１０８の原稿読取開始へ移行する。原稿分類情報がなければ、Ｆ１１３へ進む。
【００８７】
Ｆ１１３：ジョブ管理部１１１は、画像管理部１０３に原稿分類情報の画像データを削除するように指示する（Ｓ１５１）。画像管理部１０３は、画像データの削除指示を受けると、画像記憶部１０４に記憶されている原稿分類情報の画像データを削除する（Ｓ１５２）。
【００８８】
Ｆ１１４：ジョブ管理部１１１は、オペレーションパネル１０１の表示部１０１−１３に表示するための一覧（図６参照）の作成を一覧表示作成部１１３に依頼する（Ｓ１５３）。
【００８９】
一覧表示作成部１１３は、原稿分類情報作成部１０９から取得した語を用いて、図６のような一覧を作成して（Ｓ１５４）、作成した一覧をジョブ管理部１１１に与える（Ｓ１５５）。そして、ジョブ管理部１１１は、一覧のイメージをオペレーションパネル１０１の表示部１０１−１３に表示する（Ｓ１５６）。
【００９０】
図１３は、図７のＦ１１５からＦ１１７までの、画像処理装置１００の処理を示すシーケンス図である。
【００９１】
Ｆ１１５：オペレータは、入手したい画像データをオペレーションパネル１０１のキー１０１−１とキー１０１−２とキー１０１−５を使用して選択し、右キー１０１−４で選択完了すると、その情報がジョブ管理部１１１へ通知される（Ｓ１６１）。
【００９２】
Ｆ１１６：ジョブ管理部１１１は、選択された電子ファイルの格納先を原稿分類情報作成部１０９から取得して（Ｓ１６２、Ｓ１６３）、取得した画像データの電子ファイルの格納場所を印刷部１１０に与える（Ｓ１６４）。
【００９３】
Ｆ１１７：印刷部１１０は、画像データの電子ファイルの格納場所に基づいて、記憶部１０８から電子ファイルを取得し（Ｓ１６５）、画像データの電子ファイルを印刷データに変換して印刷する（Ｓ１６６）。印刷完了後、印刷部１１０は印刷完了をジョブ管理部１１１へ通知して（Ｓ１６７）、ジョブ管理部１１７は処理を終了し、ジョブ完了をオペレーションパネル１０１に通知する（Ｓ１６８）。
【００９４】
（Ａ−３）第１の実施形態の効果
以上のように、第１の実施形態によれば、保存した原稿束の情報が増えても、保存した原稿の画像ファイルの格納場所を示す原稿分類情報があるため、原稿の画像の検索が容易になり、必要な情報をすぐに取り出せると共に、整理した履歴も把握することができる。
【００９５】
（Ｂ）第２の実施形態
次に、本発明の画像処理装置の第２の実施形態を、図面を参照しながら詳細に説明する。
【００９６】
（Ｂ−１）第２の実施形態の構成
図１４は、第２の実施形態の画像処理装置２００の内部構成を示す内部構成図である。
【００９７】
図１４において、第２の実施形態の画像処理装置２００は、オペレーションパネル２０１、読取部２０２、画像管理部２０３、電子ファイル作成部２０７、記憶部２０８、原稿分類情報作成部２０９、印刷部２１０、ジョブ管理部２１１、送受信部２１２、一覧表示作成部２１３、ＲＯＭ２１４、ユーザ認証部２２２を有する。
【００９８】
第２の実施形態では、オペレーションパネル２０１、ジョブ管理部２１１、画像管理部２０３、画像記憶部２０４、電子ファイル作成部２０７、原稿分類情報作成部２０９、印刷部２１０、ユーザ認証部２２２、画像隠蔽部２２１の構成について詳細に説明する。画像処理装置２００の他の構成要件は、第１の実施形態と同様なので説明は省略する。
【００９９】
オペレーションパネル２０１は、第１の実施形態で説明した機能に加え、原稿読取中に、キー１０１−５が押下されると、キー１０１−５が押下されたことをジョブ管理部２１１へ通知する。また、オペレーションパネル２０１は、ユーザ認証に成功した場合、ジョブを受け付ける画面に遷移する機能を有する。
【０１００】
ジョブ管理部２１１は、第１の実施形態で説明した機能に加え、次の機能を有する。ジョブ管理部２１１は、読取部２０２に原稿読取開始指示を出してから読取部２０２から原稿読取完了通知を受けるまでの間に、オペレーションパネル２０１からキー１０１−５が押下されたことの通知を受けると（２回以上の通知は無視する）、後述するユーザ認証部２２２から認証情報を取得し、現在読み取っている画像データに、取得した認証情報を付与することを、画像管理部２０３に指示する機能を有する。
【０１０１】
また、ジョブ管理部２１１は、表示部１０１−１３に一覧（図６参照）を表示しているオペレーションパネル２０１から項目（抽出された語）が選択されると、その選択された語を受け取り、その語に対応する画像データのリンク先を、原稿分類情報作成部２０９から取得する。そして、ジョブ管理部２１１は、取得した画像データのリンク先と認証情報とを合わせて電子ファイル作成部２０７に与えて電子ファイルを作成するように依頼する機能を有する。さらに、ジョブ管理部２１１は、作成された電子ファイルを印刷部２１０に印刷開始を指示する機能も有する。
【０１０２】
画像管理部２０３は、第１の実施形態で説明した機能に加え、ジョブ管理部２１１から画像データへの認証情報付与の指示を受けると、ジョブ管理部２１１からの指示と合わせて受け取った認証情報を画像隠蔽部２２１に与える機能を有する。
【０１０３】
また、画像管理部２０３は、電子ファイル作成部２０７又は印刷部２１０から画像データの取得準備の依頼を受けると、電子ファイル作成部２０７又は印刷部２１０からの依頼に合わせて受け取った認証情報を画像隠蔽部２２１に与えて画像データの取得準備を依頼する機能を有する。
【０１０４】
さらに、画像管理部２０３は、画像隠蔽部２２１から画像データの取得準備の完了通知を受けると、指示先である電子ファイル作成部２０７又は印刷部２１０に対して画像データの取得準備の完了を通知する機能を有する。
【０１０５】
画像記憶部２０４は、第１の実施形態で説明した機能に加え、現在読み取り中の原稿（ページ）の画像データを記憶した後に、画像隠蔽部２２１から付与された認証情報を合わせて記憶する機能を有する。
【０１０６】
電子ファイル作成部２０７は、ジョブ管理部２１１から画像データのリンク先と認証情報を合わせて電子ファイル作成依頼を受けると、画像データのリンク先と認証情報とを合わせて画像データの取得準備を画像管理部２０３に依頼し、画像データの取得準備完了の通知を受けると、画像記憶部２０４から画像データを取得して電子ファイルを作成する機能を有する。
【０１０７】
原稿分類情報作成部２０９は、第１の実施形態で説明した機能に加え、ジョブ管理部２１１から語と合わせて画像データの取得依頼を受けると、その語に対応する画像データのリンク先を画像管理部２０３から取得してジョブ管理部２１１へ通知する機能を有する。
【０１０８】
印刷部２１０は、第１の実施形態で説明した機能に加え、ジョブ管理部２１１から画像データのリンク先と認証情報を合わせて印刷開始指示を受けると、それらの情報と合わせて画像データ取得準備を画像管理部２０３へ依頼し、その準備の完了通知を受け、画像記憶部２０４から画像データを取得して印刷データを作成して印刷する機能を有する。
【０１０９】
ユーザ認証部２２２は、ユーザ名とパスワードを管理し、オペレーションパネル２０１でユーザ認証実行時に、入力されたユーザ名とパスワードを検証し、その検証結果をオペレーションパネル２０１に与える機能を有する。
【０１１０】
画像隠蔽部２２１は、画像管理部２０３から認証情報と合わせて画像データへの認証情報付与の指示を受けると、画像記憶部２０４に認証情報を付与する機能を有する。
【０１１１】
また、画像隠蔽部２２１は、画像管理部２０３から画像データの取得準備を受けると、同時に画像管理部２０３から取得した認証情報と、画像データのリンク先に格納される画像データと一緒に記憶されている認証情報とが一致するか否かを判断し、一致しない場合、一致しない画像データを現在のジョブの間だけ連結から外した状態に（隠蔽化）する機能を有する。また、認証情報が一致する場合、画像隠蔽部２２１は隠蔽化を実施しない。その後、画像隠蔽部２２１は、画像管理部２０３に隠蔽化の完了を通知する。
【０１１２】
（Ｂ−２）第２の実施形態の動作
次に、第２の実施形態の画像処理装置２００における処理の動作について図面を参照しながら詳細に説明する。
【０１１３】
図１５は、第２の実施形態の画像処理装置２００における原稿束を読み取り、原稿分類情報を作成するまでの動作の流れを示すフローチャートである。
【０１１４】
図１５において、図７の動作処理と同じ動作処理については、図７に記載の処理番号と同じ処理番号を付している。ここでは、第２の実施形態の特有の動作処理を中心に詳細に説明するものとする。
【０１１５】
図１６は、画像処理装置２００における画像データの認証情報付与の処理を示すシーケンス図である。
【０１１６】
Ｆ２０１：まず、オペレーションパネル２０１の表示部１０１−１３には、ログイン画面が表示される。オペレータは、自身のユーザ名及びパスワードを入力する（Ｓ２０１）。
【０１１７】
入力されたユーザ名及びパスワードは、ユーザ認証部２２２に与えられ、ユーザ認証部２２２がユーザ及びパスワードが正当であるか否か確認される（Ｓ２０２）。
【０１１８】
そして、ユーザ認証部２２２において、入力されたユーザ名及びパスワードが、予め管理しているユーザ名及びパスワードと一致する場合、ユーザ認証部２２２は、ログイン成功する旨をオペレーションパネル２０１に通知する（Ｓ２０３）。一方、一致しない場合、ユーザ認証部２２２はログイン失敗の旨をオペレーションパネル２０１に通知する。
【０１１９】
なお、ここでは、認証情報がユーザ名及びパスワードとするが、認証情報は、ユーザ認証を可能とする識別情報であれば、特に限定されるものではなく、種々のものとしても良い。例えば、ＩＤ及びパスワードや、ＩＤが利用権限がある者だけが利用できるものとしても良い。
【０１２０】
また、この実施形態では、オペレータがオペレーションパネル２０１を操作して認証情報を入力する場合を例示するが、専用カードに格納されている認証情報が接触又は非接触でユーザ認証部２２２に与えられるようにしてもよい。さらに、認証情報は変更できるものとしても良い。
【０１２１】
Ｆ２０２：オペレータは、画像処理装置２００の原稿台に原稿をセットして、オペレーションパネル２０１のキー１０１−６を押下する（Ｓ２０４）。
【０１２２】
そうすると、ジョブ管理部２１１が起動し、ジョブ管理部２１１が読取部２０２に対して原稿読取開始の指示を行なう（Ｓ２０５）。
【０１２３】
原稿読取開始の指示を受けた読取部２０２は、原稿を読み取りながら画像管理部２０３に読み取った画像データを記憶させるよう指示する（Ｓ２０６）。画像管理部２０３は、読取部２０２から画像データを記憶させる指示を受けると、画像管理部２０３は、読み取った画像データをライン毎に画像記憶部２０４に記憶させる（Ｓ２０７）。
【０１２４】
Ｆ１０２：第１の実施形態と同様に、画像管理部２０３は、画像データの分類開始の指示を受けると、単語認識部２０５に１ページの画像データにおける単語の認識を行なう。
【０１２５】
Ｆ２０３：オペレータは、原稿読取中にオペレーションパネル２０１のキー１０１−５を押下する。オペレーションパネル２０１は、キー１０１−５が押下されたことをジョブ管理部２１１へ通知する（Ｓ２０８）。
【０１２６】
ここで、この実施形態では、キー１０１−６押下後の、キー１０１−５の押下が、画像データへの認証情報の付与の指示であること意味する。勿論、画像データへの認証情報の付与の指示は、このようなキー操作に限定されるものではない。また、別途専用のキーをも設けるようにしてもよい。
【０１２７】
また、キー１０１−５が２回以上連続して押下された場合、オペレーションパネル２０１は、キー１０１−５の押下（すなわち、画像データへの認証情報の付与の指示）であることを検知しない。
【０１２８】
Ｆ１０３：第１の実施形態と同様に、画像管理部１０３において、単語認識部２０５は、認識された単語と認識された単語の個数とを語抽出部２０６に与える。そして、語抽出部２０６が、認識された単語と認識された単語の個数とに基づいて、所定のアルゴリズムで語を連想して１個の語を抽出する。
【０１２９】
Ｆ２０４：ジョブ管理部２１１は、ユーザ認証部２２２から認証情報を取得して（Ｓ２０９、Ｓ２１０）、ジョブ管理部２１１は、その取得した認証情報を画像データに付与するために画像管理部２０３に与える（Ｓ２１１）。
【０１３０】
画像管理部２０３は、認証情報を受け取ると、画像隠蔽部２２１に、画像記憶部２０４に記憶された画像データにその認証情報を付与するように指示する（Ｓ２１２）。画像隠蔽部２２１は、画像記憶部２０４に記憶された画像データにその認証情報を付与する（Ｓ２１３）。
【０１３１】
Ｆ１０４：画像管理部１０３は、抽出した語と画像記憶部１０４に記憶されている画像データとを関連付けて、その抽出した語と画像データとの関連付けた情報を保持する。
【０１３２】
Ｆ１０５：次原稿がある場合は、Ｆ２０２の読取部２０２による原稿読取開始へ移行し、次原稿が無い場合は、Ｆ１０６へ進む（Ｓ２１４）。
【０１３３】
以上、原稿の読み取りが完了するまで、Ｆ２０３が実行されるとＦ２０４を実施する。
【０１３４】
結果として、図１７に示すように、画像データは原稿の種類毎に分類される。なお、図１７において、白抜きの四角は認証情報が付与されていない画像データであり、斜線付四角は認証情報が付与された画像データである。認証情報が付与されたものも付与されていないものを、抽出された語毎に分類される。
【０１３５】
Ｆ１０６は、第１の実施形態と同様に、電子ファイル作成部２０７は、ジョブ管理部２１１から、画像データのリンク先と認証情報を合わせて電子ファイル作成依頼を受けると、画像データのリンク先から画像データを取得して電子ファイルを作成する。
【０１３６】
Ｆ１０７：第１の実施形態と同様にして、ジョブ管理部１１１は、原稿分類情報の作成を原稿分類情報作成部１０９に依頼し、原稿分類情報作成部２０９は、抽出した語と抽出した語に対する画像データのリンク先とを画像管理部２０３から取得し、各リンク先特定情報を付与した原稿分類情報を作成する。
【０１３７】
Ｆ２０５：ジョブが終了したので、ログアウトする。
【０１３８】
図１８は、第２の実施形態の画像処理装置２００の画像データの隠蔽化処理の動作を示すフローチャートである。
【０１３９】
図１９は、画像処理装置２００における画像データの隠蔽化処理を示すシーケンス図である。
【０１４０】
Ｆ２０６：オペレーションパネル２０１の表示部１０１−１３には、例えば図６に示す一覧が表示される。
【０１４１】
Ｆ２０７：オペレータは、自分が印刷したい（又は電子ファイルとして入手したい）画像データを選択する（Ｓ２２１）。
【０１４２】
Ｆ２０８：ジョブ管理部２１１は、原稿分類情報作成部２０９から選択された画像データヘのリンク先の取得を依頼する（Ｓ２２２）。
【０１４３】
原稿分類情報作成部２０９は、選択された画像データヘのリンク先の取得を画像管理部２０３へ依頼する（Ｓ２２３）。画像管理部２０３は、選択された画像データヘのリンク先を原稿分類情報作成部２０９へ通知する（Ｓ２２４）。
【０１４４】
原稿分類情報作成部２０９は、選択された画像データヘのリンク先をジョブ管理部２１１へ通知する（Ｓ２２５）。
【０１４５】
Ｆ２０９は、選択された画像データを記憶媒体へ保存する場合に画像処理装置２００は実行し、Ｆ２１０は、選択された画像データを印刷する場合に画像処理装置２００が実行する。
【０１４６】
Ｆ２０９：ジョブ管理部２１１は、画像データへのリンク先と認証情報を合わせて、電子ファイル作成依頼を電子ファイル作成部２０７へ依頼する（Ｓ２２６）。
【０１４７】
電子ファイル作成部２０７は、画像データヘのリンク先と認証情報と合わせて画像データの取得準備を画像管理部２０３へ依頼する（Ｓ２２７）。
【０１４８】
画像管理部２０３は、画像データヘのリンク先と認証情報と合わせて画像データの取得準備を画像隠蔽部２２１へ依頼する（Ｓ２２８）。
【０１４９】
画像隠蔽部２２１は、画像記憶部２０４に記憶されているリンク先が示す画像データに付与されている認証情報と、画像管理部２０３から受け取った認証情報とを比較して、一致しない場合は、認証情報が一致しない画像データを一時的に連結から外す（Ｓ２２９）。
【０１５０】
その結果、図２０に示すように、認証情報が一致しない画像データは、抽出された語の画像データから外される。図２０に示す各語の画像データは、図１７に例示する各語の画像データに対応するものである。例えば、図１７において、「見積書」の画像データのうち「見積書−８」は認証情報が付与されたものである。しかし、画像隠蔽部２２１により認証情報が一致するか否かの判断がなされ、「見積書−８」に付与された認証情報が一致しない場合、図２０に示すように、認証情報が一致しない「見積書−８」は、「見積書」に属する画像データの連結から外される。
【０１５１】
画像隠蔽部２２１は、画像データの隠蔽化が完了したことを画像管理部２０３へ通知する（Ｓ２３０）。画像管理部２０３は、画像データの取得準備が完了したことを電子ファイル作成部２０７へ通知する（Ｓ２３１）。
【０１５２】
電子ファイル作成部２０７は、画像記憶部２０４から画像データを取得する（Ｓ２３２、Ｓ２３３）。このとき、認証情報が付与されている画像データは連結から外されているので、電子ファイル作成部２０７は、認証情報が付与されている画像データを取得することはできない。
【０１５３】
電子ファイル作成部２０７は、取得した画像データを電子ファイルに変換して、電子ファイル（例えばＰＤＦファイル等）を作成する（Ｓ２３４）。そして、電子ファイル作成部２０７は記憶部２０８に電子ファイルを保存し（Ｓ２３５）、電子ファイル作成部２０７はジョブ管理部２１１へ電子ファイル作成完了を通知する（Ｓ２３６）。
【０１５４】
Ｆ２１０：ジョブ管理部２１１は、画像データのリンク先と認証情報とを合わせて、印刷開始を印刷部２１０に指示する（Ｓ２３７）。
【０１５５】
印刷部２１０は、画像データのリンク先と認証情報と合わせて画像データの取得準備を画像管理部２０３に依頼する（Ｓ２３８）。画像管理部２０３は、画像データのリンク先と認証情報と合わせて画像データの取得準備を画像隠蔽部２２１へ依頼する（Ｓ２３９）。
【０１５６】
画像隠蔽部２２１は、画像記憶部２０４に記憶されているリンク先が示す画像データに付与されている認証情報と、画像管理部２０３から受け取った認証情報とを比較して、一致しない場合は、認証情報が一致しない画像データを一時的に連結から外す（Ｓ２４０）。例えば、図２０を用いて説明した画像データが、抽出した語に属する画像データから外される。
【０１５７】
画像隠蔽部２２１は、画像データの隠蔽化が完了したことを画像管理部２０３へ通知する（Ｓ２４１）。画像管理部２０３は、画像データの取得準備が完了したことを印刷部２１０へ通知する（Ｓ２４２）。
【０１５８】
印刷部２１０は、画像記憶部２０４から画像データを取得する（Ｓ２４３、Ｓ２４４）。このとき、認証情報が付与されている画像データは連結から外されているので、印刷部２１０は、認証情報が付与されている画像データを取得することはできない。
【０１５９】
印刷部２１０は、取得した画像データを印刷データに変換して印刷後（Ｓ２４５）、ジョブ管理部２１１へ印刷完了を通知する（Ｓ２４６）。
【０１６０】
（Ｂ−３）第２の実施形態の効果
以上のように、第２の実施形態によれば、公開したくない画像を隠蔽化し、対象のユーザ以外は電子ファイル化して記憶媒体へ保存や印刷ができないようにできる。
【０１６１】
（Ｃ）他の実施形態
上述した第１及び第２の実施形態において、読取部は、原稿読取装置である場合を例示して説明したが、読取部は、例えば、ディジタルカメラ、ペン型などのリーダー、携帯端末（携帯電話機やスマートフォン等を含む概念）に記憶される画像データを取得するようにしてもよい。また、読取部は、ネットワークを通じて、画像データを取得するようにしてもよい。この場合、例えば、無線通信や有線通信等により、読取部は、画像データを取得することで実現できる。
【０１６２】
上述した第１及び第２の実施形態において、原稿分類情報や画像データの出力方法は、印刷出力や、記憶媒体への保存や、外部機器への送信を説明したが、表示部への表示でも適用可能である。
【０１６３】
紙媒体に印刷した原稿分類情報を出力する場合、読取部は、リンク先特定情報であるコードの部分を、ペン型のリーダー等で読み取って画像データを表示装置に写して内容を確認することもできる。
【０１６４】
上述した第１及び第２の実施形態では、複数種類の文書が混在する原稿束を読み込む場合を例示したが、１種類の文書からなるものを原稿として読み込む場合にも適用できる。
【符号の説明】
【０１６５】
１００及び２００…画像処理装置、
１０１及び２０１…オペレーションパネル、
１０２及び２０２…読取部、１１６及び２１６…リンク先特定情報取得部、
１０３及び２０３…画像管理部、１０４及び２０４…画像記憶部、
１０５及び２０５…単語認識部、１０６及び２０６…語抽出部、
１０７及び２０７…電子ファイル作成部、１０８及び２０８…記憶部、
１０９及び２０９…原稿分類情報作成部、
１１７及び２１７…リンク先特定情報作成部、
１１８及び２１８…リンク先特定情報解析部、
１１０及び２１０…印刷部、１１１及び２１１…ジョブ管理部、
１１２及び２１２…送受信部、１１３及び２１３…ＲＯＭ、
２２１…画像隠蔽部、２２２…ユーザ認証部。
【図１】
2013258607.tif 000003
【図２】
2013258607.tif 000004
【図３】
2013258607.tif 000005
【図４】
2013258607.tif 000006
【図５】
2013258607.tif 000007
【図６】
2013258607.tif 000008
【図７】
2013258607.tif 000009
【図８】
2013258607.tif 000010
【図９】
2013258607.tif 000011
【図１０】
2013258607.tif 000012
【図１１】
2013258607.tif 000013
【図１２】
2013258607.tif 000014
【図１３】
2013258607.tif 000015
【図１４】
2013258607.tif 000016
【図１５】
2013258607.tif 000017
【図１６】
2013258607.tif 000018
【図１７】
2013258607.tif 000019
【図１８】
2013258607.tif 000020
【図１９】
2013258607.tif 000021
【図２０】
2013258607.tif 000022